(57)【特許請求の範囲】
【請求項１】
デジタル情報を受信して、該デジタル情報に含まれる３Ｄ映像データまたは２Ｄ映像データをデコード可能な受信装置であって、
デジタル情報を受信する受信部と、
前記受信部で受信したデジタル情報から映像データと番組情報データとを分離する分離部と、
前記分離部で分離した映像データを視聴のためにデコード可能なデコーダと、
分離された前記番組情報データを用いて番組情報表示用画像データを生成し、生成した番組情報表示用画像データを、前記デコーダによるデコード映像に重ねて表示または前記デコーダによるデコード映像から切り替えて表示する表示制御が可能な表示制御部とを備え、
前記表示制御部における制御状態には、
前記番組情報表示用画像データを表示する制御を行う際に前記デコード映像が右目用表示画像と左目用表示画像とに視差のある３Ｄ状態で視聴されている場合、前記番組情報表示用画像データの一部あるいは全部を右目用表示画像と左目用表示画像とに視差のある３Ｄ状態で表示する制御を行う第１の状態と、
前記番組情報表示用画像データを表示する制御を行う際に前記デコード映像が２Ｄ状態で視聴されている場合、前記番組情報表示用画像データを２Ｄ状態で表示する制御を行う第２の状態と、
があることを特徴とする受信装置。
【請求項２】
請求項１に記載の受信装置であって、
前記表示制御部における制御状態には、
さらに、
３Ｄ状態で視聴されているデコード映像の一部に重ねて、前記番組情報表示用画像データを３Ｄ状態で表示することにより、前記３Ｄ状態で視聴されているデコード映像の一部と前記番組情報表示用画像データとが同時に表示される場合に、前記番組情報表示用画像データが前記３Ｄ状態で視聴されているデコード映像の一部よりも手前に表示されるように、前記番組情報表示用画像データの３Ｄ状態表示における右目用表示画像と左目用表示画像との視差を制御する状態があることを特徴とする受信装置。
【請求項３】
請求項１に記載の受信装置であって、
前記表示制御部における制御状態には、
さらに、
３Ｄ状態で視聴されているデコード映像の一部に重ねて、前記番組情報表示用画像データを３Ｄ状態で表示することにより、前記３Ｄ状態で視聴されているデコード映像の一部と前記番組情報表示用画像データとが同時に表示される場合に、前記番組情報表示用画像データの３Ｄ状態表示における右目用表示画像と左目用表示画像との視差を前記受信装置で設定できる最大の状態とする制御を行う状態があることを特徴とする受信装置。
【請求項４】
３Ｄ映像データまたは２Ｄ映像データである映像データを含むストリームと、該ストリームには含まれない番組情報データとを、ネットワークを介して受信する受信部と、
前記受信部で受信した前記映像データを視聴のためにデコード可能なデコーダと、
前記受信部で受信した前記番組情報データを用いて番組情報表示用画像データを生成し、生成した番組情報表示用画像データを、前記デコーダによるデコード映像に重ねて表示または前記デコーダによるデコード映像から切り替えて表示する表示制御が可能な表示制御部とを備え、
前記表示制御部における制御状態には、
前記番組情報表示用画像データを表示する制御を行う際に前記デコード映像が右目用表示画像と左目用表示画像とに視差のある３Ｄ状態で視聴されている場合、前記番組情報表示用画像データの一部あるいは全部を右目用表示画像と左目用表示画像とに視差のある３Ｄ状態で表示する制御を行う第１の状態と、
前記番組情報表示用画像データを表示する制御を行う際に前記デコード映像が２Ｄ状態で視聴されている場合、前記番組情報表示用画像データを２Ｄ状態で表示する制御を行う第２の状態と、
があることを特徴とする受信装置。
【請求項５】
請求項４に記載の受信装置であって、
前記表示制御部における制御状態には、
さらに、
３Ｄ状態で視聴されているデコード映像の一部に重ねて、前記番組情報表示用画像データを３Ｄ状態で表示することにより、前記３Ｄ状態で視聴されているデコード映像の一部と前記番組情報表示用画像データとが同時に表示される場合に、前記番組情報表示用画像データが前記３Ｄ状態で視聴されているデコード映像の一部よりも手前に表示されるように、前記番組情報表示用画像データの３Ｄ状態表示における右目用表示画像と左目用表示画像との視差を制御する状態があることを特徴とする受信装置。
【請求項６】
請求項４に記載の受信装置であって、
前記表示制御部における制御状態には、
さらに、
３Ｄ状態で視聴されているデコード映像の一部に重ねて、前記番組情報表示用画像データを３Ｄ状態で表示することにより、前記３Ｄ状態で視聴されているデコード映像の一部と前記番組情報表示用画像データとが同時に表示される場合に、前記番組情報表示用画像データの３Ｄ状態表示における右目用表示画像と左目用表示画像との視差を前記受信装置で設定できる最大の状態とする制御を行う状態があることを特徴とする受信装置。
【請求項７】
番組の３Ｄ映像または２Ｄ映像と番組情報とを表示するための表示制御方法であって、
番組の３Ｄ映像または２Ｄ映像を含む映像データを取得する映像データ取得ステップと、
番組情報を取得する番組情報取得ステップと、
前記映像データを視聴のためにデコードするデコードステップと、
前記番組情報データを用いて番組情報表示用画像データを生成し、生成した番組情報表示用画像データを、前記デコード映像に重ねて表示または前記デコード映像から切り替えて表示する表示制御を行う表示制御ステップとを備え、
前記表示制御ステップにおける制御状態には、
前記番組情報表示用画像データを表示する制御を行う際に前記デコード映像が右目用表示画像と左目用表示画像とに視差のある３Ｄ状態で視聴されている場合、前記番組情報表示用画像データの一部あるいは全部を右目用表示画像と左目用表示画像とに視差のある３Ｄ状態で表示する制御を行う第１の状態と、
前記番組情報表示用画像データを表示する制御を行う際に前記デコード映像が２Ｄ状態で視聴されている場合、前記番組情報表示用画像データを２Ｄ状態で表示する制御を行う第２の状態と、
があることを特徴とする表示制御方法。
【請求項８】
請求項７に記載の表示制御方法であって、
前記表示制御ステップにおける制御状態には、
さらに、
３Ｄ状態で視聴されているデコード映像の一部に重ねて、前記番組情報表示用画像データを３Ｄ状態で表示することにより、前記３Ｄ状態で視聴されているデコード映像の一部と前記番組情報表示用画像データとが同時に表示される場合に、前記番組情報表示用画像データが前記３Ｄ状態で視聴されているデコード映像の一部よりも手前に表示されるように、前記番組情報表示用画像データの３Ｄ状態表示における右目用表示画像と左目用表示画像との視差を制御する状態があることを特徴とする表示制御方法。
【請求項９】
請求項７に記載の表示制御方法であって、
前記表示制御ステップにおける制御状態には、
さらに、
３Ｄ状態で視聴されているデコード映像の一部に重ねて、前記番組情報表示用画像データを３Ｄ状態で表示することにより、前記３Ｄ状態で視聴されているデコード映像の一部と前記番組情報表示用画像データとが同時に表示される場合に、前記番組情報表示用画像データの３Ｄ状態表示における右目用表示画像と左目用表示画像との視差を前記表示制御ステップを実行する装置で設定できる最大の状態とする制御を行う状態があることを特徴とする表示制御方法。
【発明の詳細な説明】
【技術分野】
【０００１】
技術分野は、放送やネットワーク等を介してデジタル情報を受信する受信装置、デジタル情報を再生する再生装置等に関する。
【背景技術】
【０００２】
上記技術分野について、特許文献１には、「電子番組表を表示画面上で三次元表示として、視聴者に対して直観的に番組内容の検索や選択操作を可能とした電子番組ガイド表示方式を得る。」ことを課題とし、解決手段として「時間軸と放送局の軸で構成された二次元の番組表に、更に奥行き方向に日付の軸を追加して、カーソルを全ての軸方向に移動できるようにした番組表を表示画面に表示する。また、三次元の番組表の画面に映す面を変更することによって、日付別番組表、局別番組表、時間帯指定番組表として表示することができるようにする。これにより、番組選択操作が一つの番組表の表示面の変更と三次元空間カーソル移動で、現実の世界で物を取り出す操作と同様に行えるので、直感的に行えることになる。」ことが記載されている。
【先行技術文献】
【特許文献】
【０００３】
【特許文献１】特開２００１−１６９１９７号公報
【発明の概要】
【発明が解決しようとする課題】
【０００４】
しかし、特許文献１の方法ではユーザが電子番組表から希望する番組を見つけることが容易になったとはいえず、ユーザにとって使い勝手の良いグラフィック表示を行っているとはいえない。
【０００５】
また、電子番組表に限らず、デジタル信号の受信装置において、ユーザにとってより使い勝手の良いグラフィック表示を実現することが課題となっている。
【課題を解決するための手段】
【０００６】
上記の課題を解決するため、本発明の一実施の態様は、例えば特許請求の範囲に記載された技術的思想を用いる。
【発明の効果】
【０００７】
上記手段によれば、デジタル信号の受信装置において使い勝手の良いグラフィック表示を実現し、ユーザの利便性を向上することが可能となる。
【図面の簡単な説明】
【０００８】
【図１】システム構成の一例を示す模式図
【図２】放送装置での送出処理の一例を示すブロック図
【図３】受信装置の構成の一例を示すブロック図
【図４】電子番組表の表示の一例を示す模式図
【図５】電子番組表表示の際の処理手順の一例を示すフローチャート
【図６（ａ）】電子番組表の３Ｄ表示有効・無効を切り替える一例を示す模式図
【図６（ｂ）】電子番組表の３Ｄ表示有効・無効を切り替える一例を示す模式図
【図７】電子番組表表示の際の処理手順の一例を示すフローチャート
【図８】電子番組表の表示の一例を示す模式図
【図９】電子番組表表示の際の処理手順の一例を示すフローチャート
【図１０】電子番組表の表示の一例を示す模式図
【図１１（ａ）】電子番組表の表示の一例を示す模式図
【図１１（ｂ）】電子番組表の表示の一例を示す模式図
【図１１（ｃ）】電子番組表の表示の一例を示す模式図
【図１１（ｄ）】電子番組表の表示の一例を示す模式図
【図１１（ｅ）】電子番組表の表示の一例を示す模式図
【図１１（ｆ）】電子番組表の表示の一例を示す模式図
【図１２】電子番組表表示の際の処理手順の一例を示すフローチャート
【図１３（ａ）】電子番組表の表示切り替えの一例を示す模式図
【図１３（ｂ）】電子番組表の表示切り替えの一例を示す模式図
【図１４（ａ）】電子番組表の表示の一例を示す模式図
【図１４（ｂ）】電子番組表の表示の一例を示す模式図
【図１５】システム構成の一例を示す模式図
【図１６】受信装置の構成の一例を示すブロック図
【図１７】番組検索結果一覧表示の一例を示す模式図
【図１８】設定メニュー表示の一例を示す模式図
【図１９】番組詳細説明表示一例を示す模式図
【図２０】受信装置の構成の一例を示すブロック図
【図２１（ａ）】録画番組一覧表示の一例を示す模式図
【図２１（ｂ）】録画番組一覧表示の一例を示す模式図
【発明を実施するための形態】
【０００９】
近年立体（三次元・３Ｄ）での映像表示に対する要求が高まっている。実現するためには例えば放送受信を考えると送出装置が立体表示用の番組を送出することや、受信装置が立体映像表示に対応している必要がある。あるいは再生装置であれば、例えばＢｌｕ−ｒａｙ Ｄｉｓｋ（登録商標）などの記録媒体から立体表示用のコンテンツを読み出して、かつ立体映像表示に対応している必要がある。
【００１０】
いずれの装置においても３Ｄ映像表示を行うことでユーザは２Ｄ表示では得ることの出来ない高臨場感、迫力ある表現を体感することが可能となる。これら３Ｄ表示する装置において、例えば放送で３Ｄ番組を送出・表示する場合には、３Ｄで表示される番組と電子番組表（ＥＰＧ（Ｅｌｅｃｔｒｉｃａｌ  Ｐｒｏｇａｒａｍ  ＧｕｉＤｅ）とも表記する）を同時に表示させても違和感のないことや、電子番組表上でユーザが３Ｄ番組を簡単に見つけられることが求められる。
【００１１】
また、電子番組表に限らずＯＳＤ（Ｏｎ  Ｓｃｒｅｅｎ  Ｄｉｓｐｌａｙ）とも呼ばれる受信装置特有のグラフィック（例えばメニューや番組一覧など）表示時においても３Ｄ表示することにより、３Ｄで表示される番組・コンテンツと同時に表示させても違和感のないことや、従来の２Ｄ表示時よりユーザの使い勝手を向上することが求められる。
【００１２】
そして、ユーザは電子番組表を参照することで見たい番組を探したり、記録媒体を搭載し録画機能のついた受信装置であれば電子番組表から現在時刻以降に放送される番組の録画予約をしたりするなどの操作が可能である（デジタル放送においては、放送局から送出するストリームの中に例えば１週間先までといった未来に放送する予定の番組情報が含まれて送出されており、表示装置ではその番組情報を受信し内容を把握することで電子番組表を表示できる）。
【００１３】
近年、この電子番組表は受信可能な放送局数（チャンネル数）の増加に伴って肥大化し、ユーザにとっては所望の番組が見つけづらくなるという問題があり、より直感的な表示・表現方法を用いることでユーザの視点を直ぐに注目すべき番組に移動させるなどで電子番組表の使い勝手を向上させる工夫が必要と考える。
【００１４】
以下、本発明に好適な実施形態の例（実施例）を説明する。但し、本発明は本実施例に限定されない。
【実施例１】
【００１５】
＜システム＞
図１は、本実施例を適用するシステムの構成の一例を示す模式図である。放送波からの情報を受信する場合を例示している。ただし放送に限定されず通信網によるＩＰ放送（マルチキャスト）であってもよく、総称して配信ともいう。
【００１６】
１は放送局などの情報提供局に設置される送信装置、２は放送用衛星として、３は地上中継局として設置される中継装置、４はユーザの宅内などに設置される受信装置を示す。５は受信した放送を表示する表示パネル、６はＩＰ放送用のデータを配信する配信サーバである。７はユーザの宅内などに設置される例えばＢＤレコーダなどの記録再生装置である。
【００１７】
８は３Ｄの実現方式によって必要になる３Ｄ視聴用の専用メガネである。立体映像表示の形式によっては、ユーザは立体映像視聴専用のメガネの着用が必要となる。
【００１８】
送信装置１は、中継装置２および３を介して、変調された信号電波を伝送する。例えばケーブルによる伝送、電話線による伝送などを用いることもできる。受信装置４で受信されたこの信号電波は、後に述べるように、復調されて情報信号となる。また、ユーザは、表示パネル５で示すディスプレイを受信装置４に接続して情報信号が示す映像音声を視聴することができる。受信装置４にディスプレイが内蔵されている場合はそのディスプレイで情報信号が示す映像音声を視聴することができる。
【００１９】
また、受信装置４は別の記録再生装置７に対して受信した情報信号を転送することが可能である。この操作をネットワーク配信やアップロードともいう。
【００２０】
＜送信装置＞
図２は、図１のシステムのうち、送信装置１の構成の一例を示すブロック図である。
【００２１】
２０１はソース発生部、２０２はＭＰＥＧ方式等で圧縮を行うエンコード部、２０３はスクランブル部、２０４は変調部、２０５は送信アンテナ、２０６は番組情報付与部である。カメラ、記録再生装置などから成るソース発生部２０１で発生した映像音声などの情報は、より少ない占有帯域で伝送できるよう、エンコード部２０２でデータ量の圧縮が施される。必要に応じてスクランブル部２０３で、特定の視聴者には視聴可能となるように伝送暗号化される。変調部２０４で伝送するために適した信号となるよう変調された後、送信アンテナ２０５から、中継装置２に向けて電波として送信される。このとき、番組情報付与部２０６では、例えば電子番組表表示や現在視聴中の番組情報表示のために番組情報を付加する。
【００２２】
なお、一つの電波には複数の情報が、時分割、スペクトル拡散などの方法で多重されることが多い。簡単のため図２には記していないが、この場合、ソース発生部２０１とエンコード部２０２の系統が複数個あり、エンコード部２０２とスクランブル部２０３との間に、複数の情報を多重するマルチプレクス部（多重化部）が置かれる。
【００２３】
３Ｄ映像の送信・受信を実現する方式としては様々な方式が考えられる。例えば３Ｄ映像を送出する方法の一例として、左目用画像データと右目用画像データを多重化して送出する方法がある。これに限らず受信時に判別可能なように送信ならびに受信の運用形態が決められれば、受信機は運用形態に応じて立体映像であることを判別して立体映像表示することが可能である。
【００２４】
＜受信装置＞
図３は本発明を実施する受信装置４の構成の一例を示すブロック図である。３０１は放送装置１からの送信データを受信するための入力端子である。３０２は受信したデータを解析しデータ種別毎に分離し後段へ転送する分離部である。必要に応じてデスクランブル処理を行い視聴可能となるよう復号する。分離の手順としては予め定められたＩＤを持つＰＡＴ（Ｐｒｏｇｒａｍ  Ａｓｓｏｃｉａｔｉｏｎ  Ｔａｂｌｅ）データをデータの中より検出し、所定の方法に基づいて解析することでＰＭＴ（Ｐｒｏｇｒａｍ  Ｍａｐ  Ｔａｂｌｅ）のＩＤを得る。その情報を用いて次に入力データよりＰＭＴデータを検出し、所定の方法に基づいて解析することで、映像データや音声データ、番組情報（ＳＩ情報とも呼ぶ）を含むデータ（例えばＥＩＴ）のＩＤを知ることが出来る。以上により種類別にデータを分別することが可能であり、例えば映像データ・音声データを抽出して後段のデコード処理部３０５へと転送する。番組情報データは番組情報処理部３０４へと転送する。番組情報処理部３０４は入力ストリームより抽出される番組情報を解析し、必要なデータは例えばメモリ３１２などに記録する。例えば番組名称や放送チャンネル番号、放送開始時刻、放送終了時刻、番組内容詳細などのデータなどである。これらの情報の中には電子番組表を構成するための情報が含まれている。
【００２５】
デコード処理部３０５は分離された映像データ・音声データを、画面に表示する、もしくはスピーカから出力するデータにデコードする。なおデコード処理部の中で映像と音声のデコード処理を行うブロックがそれぞれ別に存在する。デコードされたデータは表示制御部３０５へ送付する。
【００２６】
３０６は映像・音声データや各種アプリケーション用インタフェース(ＩＦ)の表示データから出力データを生成する表示制御部である。例えばデコード処理部（３０５で処理された映像データの上に、受信装置４が独自に用意する例えばメニュー画面などのＯＳＤを重ね合わせるなどして表示する画像を生成する。表示制御部３０６は３Ｄ映像表示手法の少なくとも一つ以上に対応しているものとする。
【００２７】
３０７は出力端子であり、生成されたデータを例えば表示用液晶パネルなどの表示デバイスに転送する。３０８は使用者がリモコンを用いて操作を行う際のリモコンＩＦである。３０９は入力端子であり例えばリモコンからの信号を受信する受光部である。３１０は例えば選局操作や音量操作などの各種操作を行うボタン群を配し、使用者が直接ボタンを操作することで受信装置４の制御を行うための操作部である。３１１は受信装置４の動作を制御する制御部であり、例えばＣＰＵで構成される。３１２は情報を記録するための不揮発性メモリである。３１３は各ブロック間で制御命令を伝達するシステムバスである。
【００２８】
なお、図３の中で各ブロックを結ぶ矢印で示された線は受信したデジタルデータの流れである。各ブロックで適宜処理が行なわれるため、各ブロック間に流されるデータの内容・形式は各々異なるものである。
【００２９】
上記は送出装置１からの放送受信を例にとって説明を行ったが、例えば配信サーバ６からのネットワーク経由のストリームを受信する場合、例えば番組情報データは映像・音声データと独立したストリーム（メタデータとも呼ばれる）に情報が含まれることもある。この場合分離部３０２でメタデータより番組情報を取得し、番組情報処理部３０４へデータを転送することで、放送受信時と同様に以降の実施例が適用可能である。さらには該当の配信コンテンツが３Ｄであるかどうかがメタデータに記してあっても良い。
【００３０】
以上の構成に基づいて以下の実施例を説明する。受信するデジタル情報の中に、どの番組が３Ｄ映像を含むかを判別する情報が含まれているとする。例えば、ＥＩＴ内に番組に３Ｄ画像が含まれるかを示す情報を含んで送信することが考えられる。なお、ＥＩＴに限らず受信時に判別可能なように運用形態が決められれば、それに合わせて受信機（番組情報処理部３０４および制御部３１１）が判別することで効果は得られる。
【００３１】
＜３Ｄ表示手法＞
３Ｄ映像を表示するための一つの方法として偏光を用いた方式がある。直線偏光（右目用の映像と左目用の映像を偏光方向に９０度の差異を設ける）や円偏光（偏光軸の回転方向が右目用の映像と左目用の映像で逆である）といった方式で表示を行い、ユーザは左右にそれぞれの偏光に対応したフィルタを設けた専用メガネを着用することで、夫々の眼に視差を持った映像が到達することで映像が飛び出して見える手法である。
【００３２】
他の一つの３Ｄ表示実現方法として、ユーザがシャッタメガネを着用する手法もある。ストリーム送信の段階で右目用映像と左目用映像を一つのストリームにマルチプレクスし、受信装置はそれを受信する。視差のついた右目用画像と左目用画像とを交互に切り替えて表示し、シャッタメガネが受信装置からの制御信号に同期して右目、左目交互にレンズ部分に組み込まれた液晶を透過させて映像を視聴可能なように制御することで立体表示を実現する。
【００３３】
他の一つの３Ｄ表示実現方法としては、色分離（色分割とも呼ぶ）による手法がある。左右それぞれの映像を例えば赤や青、赤や緑といった色の組み合わせの異なる映像に分離し、表示位置を横方向にずらして視差を生成する。この方式でもユーザは視聴時に専用のメガネを使用し、左右それぞれに異なる色のフィルタを配置することで視差によって生み出される立体表示を体感できる。
【００３４】
他の３Ｄ表示実現方法としては、レンチキュラ方式やパララックス（視差）・バリア方式に代表される、ユーザが裸眼で視聴して立体感が得られる手法がある。この場合、表示画像は右目用映像と左目用映像を１画面上に交互に表示し、それを特殊な形状のフィルタを表示画面上に設けることで両眼に夫々の画像を到達させる。これらの方式の場合、ユーザは専用メガネの着用が不要である。
【００３５】
以上に示したように３Ｄ表示を実現する方法には多くの方式が存在するが、本発明においては上記で紹介した方式をはじめ受信装置が対応している３Ｄ表示方式は何であってもそれに対応した電子番組表の表示画像を生成できれば良く、制御部３１１および表示制御部３０５によって実現可能であると考えれば良い。
【００３６】
そのため特定の方式で必要となる画像表示面上の偏光フィルタや位相差板に関する議論は省略する。例えば上述したシャッタメガネを用いる方式の場合、放送受信時と同様に交互に右目用、左目用表示画像を生成し、視差をつけた電子番組表画像を生成、表示することで３Ｄ表示電子番組表を作成できる。以下の実施例においてもこの方式を前提に説明を行う。
【００３７】
＜電子番組表の表示＞
電子番組表を表示する際に受信装置４が３Ｄ放送番組の情報を強調表示する例を図４に示す。なお図面では右目用映像と左目用映像とを組み合わせてユーザが立体視した状態を表現している。
【００３８】
５１は表示パネル５の映像表示部分である。本図では制御部３１１はユーザからの所定の操作に応じて表示部分全面を用いて電子番組表を表示している。４０１で示した番組情報は３Ｄ放送番組の情報であり、前面に飛びだして見えるよう表示する。このとき４０２には下段の番組表でユーザがフォーカスを当てている番組の詳細を表示しているが、３Ｄ放送番組にフォーカスを当てている場合には４０２の番組説明欄を飛び出して表示するようにしても良い。受信装置４における処理のフローチャートを図５に示す。
【００３９】
ステップ（以降Ｓと省略する）５０１では制御部３１１はリモコンＩＦ３０８あるいは操作部３１０から入力されるユーザ操作に応じて番組表を開く際の現在時刻情報と視聴チャンネル情報から、表示範囲を算出し、表示すべき番組情報を不揮発性メモリ３１２より取得し、右目用と左目用夫々の電子番組表表示画像データを作成し、Ｓ５０２へ進む。
【００４０】
Ｓ５０２では表示範囲に含まれた番組情報データの内容を番組毎に３Ｄ放送であるかどうかを判断する。各番組が３Ｄ放送であるかどうかは例えば、データストリーム中の所定の位置に該当番組が３Ｄであるかどうかを判別する情報が含まれているなら、その情報を参照する。あるいは番組名称や３Ｄ番組であることを示す文字データが含まれているかどうかで判断しても良い。番組が３Ｄ放送である場合にはＳ５０３へ進み、含まれてない場合にはＳ５０４へ進む。
【００４１】
Ｓ５０３では対象の３Ｄ番組が表示される矩形を算出し、その部分の左目用画像データと右目用画像データの表示位置をずらして視差を設定しＳ５０４へ進む。具体的な視差の設定方法は上述した立体表示手法に準ずる。
【００４２】
Ｓ５０４では表示範囲の全ての番組情報データについて３Ｄ放送番組か否かの検索が終了していたらＳ５０５へ進み、終了していない場合Ｓ５０２へ進む。Ｓ５０５では表示制御部３０５が生成された電子番組表データを所定の方法で表示して処理を終了する。例えば左目用画像と右目用画像を交互に表示する、などである。
【００４３】
図４の４０３で指し示したようにこのような３Ｄ表示と２Ｄ表示を切り替える機能を例えばリモコンのカラーボタン（赤）に割り当て、ユーザが好きなタイミングで切り替えができるようにしても良い。３Ｄ表示ＯＦＦの場合には制御部３１１は視差の無い電子番組表データを生成し、表示制御部３０５が表示する。
【００４４】
立体映像表示の形式によっては、ユーザは立体映像視聴専用のメガネの着用が必要となる。従って、ユーザ自身がメガネの着用状況に応じて簡単に２Ｄ・３Ｄ表示を切替可能とすることでユーザの利便性を向上することも求められる。ユーザが好きなタイミングで３Ｄ表示と２Ｄ表示を切り替えることができれば、例えばユーザは自分が専用メガネを着用しているかどうかに合わせて表示を切り替えることが可能である。
【００４５】
表示を切り替える別の方法として例えば図６に示すような機能メニューを作成、表示してユーザに選択させることにより実現しても良い。図６（ａ）は３Ｄ表示ＯＦＦの状態で所定の操作によって機能メニューを立ち上げた場面の一例である。ユーザは機能メニューの中から３Ｄ表示の項目を選択すると制御部３１１と表示制御部３０５は３Ｄ表示に切り替える。
【００４６】
図６（ｂ）は３Ｄ表示ＯＮの状態で機能メニューを表示した場面の一例である。機能メニュー自体も飛び出させて表示することでその背面に飛び出して表示された番組情報がある場合にも違和感無く視聴することが可能である。ユーザが３Ｄ表示ＯＦＦの項目を選択すると制御部３１１と表示制御部３０５は２Ｄ表示に切り替える。
【００４７】
一般的にユーザが３Ｄ放送を視聴している最中はユーザは専用のメガネを掛けるなどしているために電子番組表も３Ｄ表示が有効になっていることが望ましいと考えられる。図７は電子番組表表示時に自律的に３Ｄ表示の有効・無効を切り替える動作を説明したフローチャートである。
【００４８】
Ｓ７０１では制御部３１１は例えばユーザが視聴中の番組情報と、表示制御部３０６の表示状態といった、現在の視聴状態を取得してＳ７０２へ進む。Ｓ７０２では視聴状態が３Ｄである（３Ｄ放送を３Ｄ表示で視聴している）場合Ｓ７０３へ進み、２Ｄである（３Ｄ放送番組を２Ｄで表示している場合も含む）場合Ｓ７０４へ進む。Ｓ７０３では上述した実施の一例のようにして電子番組表を３Ｄ表示して処理を終了する。Ｓ７０４では電子番組表を２Ｄ表示して処理を終了する。
【００４９】
さらには３Ｄ放送を偶然選局した直後に電子番組表を立ち上げた（すなわちユーザとしては意図していない３Ｄ視聴状態）場合を想定して、ある一定以上現在の番組を視聴していたかどうかをＳ７０２での判定に加えても良い。
【００５０】
これにより電子番組表を起動した時点でのユーザの視聴状態に合わせた表示を行うことが可能であり、特に専用メガネを利用して３Ｄ映像を視聴する方式の場合、ユーザがわざわざ専用メガネを掛けたり外したりといった動作が必要なくなるという利点がある。また、裸眼立体方式の場合においても３Ｄ映像と２Ｄ画像の切り替わりがなくなるため眼の疲労を軽減できるという利点がある。
【００５１】
また３Ｄ表示の有効・無効の状態を常に不揮発性メモリ３１２などに記録しておくことで次回電子番組表表示時に前回と同じ設定で起動するようにしても良い。
【００５２】
以上の実施例によりユーザは多くの番組が並ぶ番組表の中から直感的に、３Ｄ放送番組を発見することができる。これらの放送をたとえば視聴予約・録画予約するのも簡単に実現可能である。なお、録画予約は受信装置本体が記録媒体を有している場合（図３には未記載）、その記録媒体で良い。あるいは受信装置本体が記録媒体を挿入可能なスロットを有しており（図には未記載）、可搬性のある記録媒体を挿入して記録しても良い。あるいは例えばＨＤＭＩケーブルやＩＥＥＥ１３９４ケーブルによって接続された、またはＩＰを用いたＤＬＮＡ（Ｄｉｇｉｔａｌ  Ｌｉｖｉｎｇ  Ｎｅｔｗｏｒｋ  Ａｌｌｉａｎｃｅ）で規定された形式に基づいて接続された外部の記録再生装置７に記録するのでも良い。
【００５３】
以下、ユーザの使い勝手をさらに向上させる実施例について説明する。まず、ユーザの嗜好を利用した実施例について説明する。例えばユーザの嗜好を解析する、あるいはユーザが指定した単語が含まれる番組情報を検索するなどの技術を用いて受信装置４がおすすめ番組を強調表示する例を図８に示す。また、この時の受信装置４における処理のフローチャートを図９に示す。
【００５４】
Ｓ５０１では制御部３１０はユーザ操作に応じて番組表を開く際の現在時刻情報と視聴チャンネル情報から、表示範囲を算出し、表示に必要な番組情報を取得してＳ９０１へ進む。
【００５５】
Ｓ９０１では表示範囲にお勧めの番組の放送が存在するかどうかを判断する。各番組がお勧めの番組であるかを判別する手法については数多くの手法が考えられるため、その中の１つ以上の方式に従えば良いが、例えば、それまでのユーザの視聴傾向（例えば長時間視聴している番組のジャンル情報を積算しておき、その結果を解析することで好みのジャンルを抽出する）から判断する方法が考えられる。
【００５６】
あるいはユーザが好みの出演者名をリモコンなどのＩＦを用いて指定し、制御部３１１が番組情報から一致する出演者名を検索する方法が考えられる。該当の番組がお勧めされる番組である場合にはＳ５０３へ進み、そうでない場合にはＳ５０４へ進む。Ｓ５０３では対象の３Ｄ番組が表示される矩形を算出し、その部分の左目用画像データと右目用画像データの表示位置をずらして視差を設定しＳ５０４へ進む。具体的な視差の設定方法は上述した立体表示手法に準ずる。
【００５７】
Ｓ５０４では表示範囲の全ての番組情報データについて３Ｄ放送番組か否かの検索が終了していたらＳ５０５へ進み、終了していない場合Ｓ５０２へ進む。Ｓ５０５では表示制御部３０５が生成された電子番組表データを所定の方法で表示して処理を終了する。例えば左目用画像と右目用画像を交互に表示する、などである。
【００５８】
これによりユーザは多くの番組が並ぶ番組表の中から直感的に、視聴したい番組を発見することができる。
【００５９】
８０２に示すようにこのような３Ｄ表示と２Ｄ表示を切り替える機能を例えばリモコンのカラーボタン（赤）に割り当て、ユーザが好きなタイミングで切り替えができるようにしても良い。例えばユーザは自分が専用メガネを着用しているかに合わせて表示を切り替えることが可能である。表示を切り替える別の方法として例えば図６に示すようなメニューを作成して実現しても良い。また本電子番組表表示時にはそれ以前に視聴していた番組の表示が２Ｄ・３Ｄのいずれであったかに合わせて２Ｄ・３Ｄの表示を選択してもよい。
【００６０】
また、この場合お勧め度合いに応じて視差の量を可変にしても良い。すなわち最もお勧めする番組を最も前に飛び出すように生成し、例えば各お勧め番組について１０段階のランク付けがされていれば、１０段階の視差量を割り振って表示を行う。あるいは一画面の番組表内に表示している番組の中でお勧めする番組に限定して、各番組のお勧め度合いに応じて大きな視差から順に小さな視差を割り当てていくなどとしても良い。
【００６１】
これによりユーザは直感的に受信装置のお勧めする番組に気がつくことが可能となり、視聴したい番組を容易に発見することができる。
【００６２】
次に、ユーザが視聴中の番組の表示を継続しつつ、画面の一部を使用して番組表を表示する例を、図１０を用いて説明する。５１は表示パネルの表示画面を示す。１００１で示した範囲が電子番組表である。ユーザが３Ｄ映像視聴時、背面となる３Ｄ映像の飛び出しに対して、さらに前面に番組表が前面に飛び出して見えるように視差量を設定して表示することで、表示している３Ｄ映像と組み合わせても違和感の無い表示を可能とする。
【００６３】
この時の番組表表示のシーケンスは図７と類似している。ただしＳ７０３では例えば制御部３１１は右目用画像と左目用画像に可能な範囲で最大の視差を設けて、表示制御部３１５が表示することで番組表を３Ｄで表示して処理を終了して良い。視差量を最大に設定すれば背面の映像が飛び出して表示される場合でも違和感なく視聴することが可能である。また、例えば制御部３１１は背面の映像に設定される視差量より大きな視差を設定して、表示制御部３１５が表示することで番組表を３Ｄで表示して処理を終了しても良い。
【００６４】
例えばＨＤＭＩケーブルなどで接続された記録再生機器７からＢＤやＤＶＤなどの記録媒体に格納された３Ｄコンテンツを再生している際にも、同様に処理しても同じ効果が得られる。
【００６５】
次に、３Ｄの番組を番組表中に個別の列として表示する例を図１１（ａ）〜（ｆ）に示す。
【００６６】
５１は表示パネルの表示画面を示す。１１０１は３Ｄ番組のみを表示する番組一覧表示部分を示す。図１１の例では１８：００から１９：００まで０９１チャンネルで３Ｄ放送がおこなわれ、１９：００から０１１チャンネルにて３Ｄ放送が行われるということが独立した列に記載されており、ユーザが３Ｄ放送番組を見つけやすくなっている。空欄となっている時間帯は３Ｄ放送番組が存在しないことを意味する。
【００６７】
この時、例えば３Ｄ番組の列の表示Ｏｎ・Ｏｆｆを切り替える機能をリモコンボタンに割り当てておき（図１１ではリモコンの赤ボタンへ割り当てた例を示す）、ユーザが該当のボタンを押すことによって表示有無を切り替えても良いし、常に表示するようにしておいても良い。図１１に示した例では視差を設けての表示は行っていないが、例えば制御部３１１は１１０１に示した３Ｄ番組の列のみ前面に飛び出して見えるよう視差を設定し表示しても良い。
【００６８】
また例えば同時間帯に複数の３Ｄ放送番組が行われる場合は、図１１（ｂ）に示すように、番組内容を１番組分だけを表示しつつも１１０２で示すような例えば色の異なる線を表示するなどによって複数の番組内容が存在することをユーザにわかるような表示として良い。ユーザがリモコン操作などによりカーソルをこの部分を選択することで初めて番組内容の表示を切り替えて表示する（図１１（ｃ））。この時やはり別の３Ｄ番組があることを１１０３で示すような例えば色の異なる線を表示するなどによって表す。あるいは図１１（ｄ）に示すように、同じ時間帯の３Ｄ番組を一覧表示列に平行して表示しても良い。
【００６９】
表示シーケンスを図１２に示す。Ｓ５０１では制御部３１１はユーザ操作に応じて番組表を開く際の現在時刻情報と視聴チャンネル情報から、表示範囲を算出し、表示に必要な番組情報を取得してＳ１２０１へ進む。Ｓ１２０１では表示時間帯における表示範囲以外の全チャンネルの番組情報から３Ｄ番組を検索、取得してＳ１２０２へ進む。Ｓ１２０２では番組表の３Ｄ番組表示部に該当する部分の表示データを更新して、表示のための電子番組表データを生成してＳ５０５へ進む。Ｓ５０５では表示制御部３０５が生成された電子番組表データを所定の方法で表示して処理を終了する。
【００７０】
なお、受信装置起動直後のタイミングで番組表を生成する場合、全チャンネルの番組情報取得が完了していない可能性がある。この場合取得できたところまでの情報から３Ｄ番組のデータを抜き出して表示を行い、３Ｄ番組が見つかるたびに適宜画面の更新をかければ良い。
【００７１】
また、上記説明では電子番組表を２Ｄで表示しているが、これを３Ｄで表示する場合は、（ｅ）および（ｆ）に示す実施方法もある。すなわち番組が複数重複している時間帯には奥行きを変更してデータが並んでいるように表示する。例えばリモコンの左右キーなどの所定の操作によって、（ｅ）から（ｆ）に、あるいはその逆にというように最前面に表示される番組を切り替えて表示する。勿論３つ以上の番組が重なっている場合であっても、同様の表示とユーザ操作による表示の切替が可能である。
【００７２】
本実施例によれば、ユーザが番組表の表示範囲に含まれない放送局の番組であっても容易に３Ｄ番組に気がつくことが可能となり、視聴や録画予約といった動作を行うことが容易になる。
【００７３】
次に、電子番組表を３Ｄ表示している場合に、番組表のサイズを変更する場合の例を図１３に示す。
【００７４】
図１３（ａ）は６チャンネル４時間分の番組データを表示している。一方で（ｂ）は（ａ）の破線で囲んだ３チャンネル２時間分の番組データを拡大表示して、各番組の情報をより詳細に表示する。この時、（ａ）で飛び出して表示しているデータを拡大するため（ｂ）において該当番組の右目用画像と左目用画像の視差量を拡大させた比率に合わせて増加させることで、切替時に違和感のない３Ｄ表示を実現する。
【００７５】
一方で図１３（ｂ）から（ａ）の状態に遷移する場合には縮小比率に応じて視差量を縮小することで、切替時に違和感のない３Ｄ表示を実現する。勿論、拡大・縮小が本実施例に示す以外のチャンネル・時間数で行なわれる場合、多段階で行なわれる場合においても同様の制御によって対応が可能である。
次に、図１４を用いて特定放送局（チャンネル）の現在時刻以降の番組を複数日分電子番組表に表示する実施例を説明する。特定放送局の選択は例えばリモコンの任意のボタンに選択する機能を割り当ててユーザが操作するものとする。
【００７６】
図１４（ａ）においては３Ｄ番組が放送される予定の個所について視差を生成し、飛び出して表示する例を示す。これによって現在時刻から先に指定のチャンネルにおいて３Ｄ放送が行なわれるかどうかをユーザは直感的に理解することが可能である。図１４（ｂ）においては、同様の表示でユーザは例えば嗜好に合ったお勧め番組を直感的に発見することができる。これによってユーザの注目を自然とそれらの番組に集めることができ、例えば番組の録画予約や視聴予約を簡単に実行可能である。
【００７７】
以上で述べた各実施例は適宜組み合わせて実施することも可能である。例えば図４の表示を行っている際に図１３を用いて説明したような拡大・縮小の手法を組み合わせる、あるいは、図１４における同一放送局の放送番組一覧の表示データサイズを縮小すればより一覧性を高めることが可能となるなどである。任意の組み合わせによる表示および状態遷移が行なわれて良い。
【００７８】
また、変形例として、カーソルのあたっている個所を強調表示するために前面に表示するようにしたり、ある放送局の番組全てを前面に表示するなどして、ユーザの注目を向けさせるようにしたりすることで使い勝手を高めることなどが考えられる。
【００７９】
以上示した実施例により、３Ｄ番組の放送が行なわれる際の電子番組表表示方法について説明した。電子番組表上でユーザが３Ｄ番組を簡単に見つけることができる使い勝手の良い電子番組表の表示を実現可能とした。また、３Ｄで表示される番組と電子番組表を同時に表示させても違和感のない電子番組表の表示を実現可能とした。また立体映像視聴方式がメガネを必要とするタイプであれば、２Ｄ・３Ｄ表示の切替を簡単に行えることで利便性を向上することを可能とした。
次に、これまで説明したシステムとは別のシステムにおける処理について説明する。ここでは、受信装置のデータ出力先がパネルではなく別の受信装置（もしくは記録再生装置）である場合について図１５以降の図を用いて説明する。図１５は本発明を実施する別の一例、受信装置１５の接続を示すシステム構成図である。
【００８０】
受信装置１５は送信装置１ならびに配信サーバ６から送出されるデータを受信する。受信装置１５内部で受信データのデコードや電子番組表の表示画面を生成すると、異なる受信装置（あるいは記録再生装置でも良い）１６へのデータ出力を行う。
【００８１】
受信装置１５と受信装置１６の接続は、受信装置１５の生成する電子番組表データと視差・奥行き情報の伝送方法が規定されているデジタルデータ送受信の方法で行なわれる。例えば右目用画像と左目用画像を両方伝送し、受信装置１６においてその通りに表示することや、画像データと奥行き情報を伝送し、受信装置１６がそれらの情報から所定の手順で３Ｄの電子番組表を生成する方法が挙げられる。
【００８２】
１６は外部入力端子を持ち、受信装置１５からデータが入力可能、かつ３Ｄ表示が可能な受信装置である。３Ｄ表示データを表示パネル５へ出力する。受信装置１６が表示パネルを内包している場合には、表示パネル５への接続は不要である。
【００８３】
図１６は受信装置１５の内部構成を示す。映像・音声データのデコードを行う手順、また電子番組表データを生成する手順は受信装置４と変わるところは無い。１５０１は表示制御部３０６と同様に、映像データの出力画面を生成する出力データ生成部である。１５０２は所定の送信用データを生成、電子番組表データを重畳して出力する出力部である。１５０３は他の受信装置１６へデータを送信する出力端子である。
【００８４】
本システム構成においても上述の実施例がそのまま適用可能であり、受信装置自体が表示装置に直結していない場合においても、ユーザが３Ｄ表示された電子番組表を視聴し、使い勝手の良い電子番組表を使用することが可能である。すなわち３Ｄ番組を探して視聴することが簡単に実行可能であり、受信装置１５がさらに録画機能を有する場合には、３Ｄ番組の予約録画設定を行うことが簡単に実行可能である。
【実施例２】
【００８５】
本実施例では、電子番組表以外のもので、３Ｄ表示によって使い勝手を向上可能なグラフィックについての実施例を説明する。
【００８６】
図１７には番組検索結果を表示するグラフィックの一例を示す。５１は表示画面を示す。１７０１は検索を番組ジャンルで分類表示するためのタブが並んでいる。ユーザは例えばリモコンの左右キーなどで検索結果を見たいジャンルを選択すれば、その下に検索結果の一覧が表示される。表示の順序は例えば検索時刻に近い時間順で並べるものである。１画面に表示しきれない検索結果についてはユーザの所定の操作によってページを切り替えて閲覧できるようにする。図１７に示すようにページが切り替わるたびに移動するバーを検索結果の横に示し、複数ページ存在することを示すとユーザの使い勝手も良い。これらの番組名称や放送時刻の情報は電子番組表での実施例と同様、受信した放送データ中に例えば１週間分などある決められた先までの情報が含まれている。図１７は「映画」のタブにカーソルがあてられ、映画番組の検索結果を一覧に表示する例を示している。一覧に表示された番組の中で３Ｄ放送番組があればその番組表示欄を前面に浮き出て見えるように表示を行う。変形例としてユーザの嗜好情報などから受信装置がお勧めの番組を判断して、一覧表示された番組の中のお勧め番組を飛び出して見えるよう表示するなどしても良い。
【００８７】
この制御によって、ユーザは３Ｄ放送番組、あるいはお勧めの番組を直感的に選択することができ使い勝手を向上することが可能である。
【００８８】
次に、３Ｄ放送番組を表示中に受信装置の機能メニュー一覧を３Ｄで表示する例を図１８を用いて説明する。図１８中の１８０１は機能メニューの表示欄を示し、例えばこの中からユーザが一項目を選択すると、さらに細かい設定メニューに切り替えて表示したり、表示メニューの範囲を拡大したりするものである。
【００８９】
現在３Ｄ表示の可否は、送信されるデジタル情報中の情報によって判別する。かつ３Ｄ表示によって視聴していることは例えば制御部３１０が出力制御部３１１の動作状態を認識することで判断できる。ユーザが３Ｄ表示をして視聴している場合に、例えばリモコンにあるメニュー表示を行うボタンを押下するといった所定の操作によってメニューを表示する際に、制御部３１０は表示用メニューデータを視差情報を設けて右目用画像と左目用画像を生成する。これを表示制御部３１１で交互に表示を行ない、前面に飛び出して見えるようメニュー画面を表示する。
【００９０】
背景に表示される画像の飛び出し量を勘案し、必ずそれよりも前面に表示されるような視差を設ける。この方法によりユーザにとって違和感の無いＯＳＤ表示を実現可能である。
【００９１】
本実施例では画面の左横部にメニューを表示したが、表示位置は任意の場所でよいし、機能メニューの構成についても図１８に示した通りである必要はない。さらには、例えばユーザが選択したカーソルの当たっている項目のみをより前面に飛び出して見えるようにするなど、項目毎にさらに視差を設けて表示をすることでよりユーザの操作しやすいメニュー表示としても良い。
【００９２】
次に、図１９を用いてユーザが３Ｄ放送を視聴している場合に視聴中の番組について詳細を確認する画面表示の一例について説明する。１９０１は番組の詳細情報を表示する一例を表している。ユーザがこの情報を表示する方法としては、例えば先の実施例で示した機能メニューのひとつとして番組の詳細情報を表示するための選択肢があっても良い。
【００９３】
またはリモコンに詳細情報を表示するためのボタンが存在しても良い。この時、すなわちユーザが３Ｄ表示をして視聴している場合に、この詳細情報を表示する際には制御部３１１は表示用画像データを視差情報を設けて右目用画像と左目用画像を生成する。これを表示制御部３１１で交互に表示を行うことで、前面に飛び出して番組詳細情報画面を表示する。この時、背景に表示される画像の飛び出し量を勘案し、必ずそれよりも前面に表示されるような視差を設ける。
【００９４】
この方法によりユーザにとって違和感の無いＯＳＤ表示を実現可能である。詳細説明画面の表示位置は図１９で示した位置に限らず任意の場所でよい。                        次に、図２０を用いて内蔵された記録媒体に受信したデジタルデータを記録し、また記録したデジタルデータを再生する機能を有する受信装置の一例について説明する。２００１は録画や再生を制御する記録再生制御部である。２００２はデジタルデータを記録する記録媒体である。記録再生制御部２００１では例えば分離部から出力された映像・音声および記録された番組が３Ｄ放送番組であるかどうかを示す情報を含む番組情報データなどから成るデジタルデータを入力として、記録に適当な暗号化を行ったり、再生時に再生箇所を特定するためのインデックス情報を生成したりといった処理を行う記録制御と、前記インデックス情報を参照して再生するデジタルデータを記録媒体２００２から読み出し、デコード処理が破綻しないようデコード処理部へ転送する再生制御を行う。勿論記録と再生を同時に行うことも可能である。
【００９５】
上記記録再生機能を有する場合、ユーザが記録された番組の中から、再生する番組を選択するためのインタフェースが必要になる。制御部３１１で表示データを作成し、表示制御部３０６を介して表示する。この時これまでの実施例と同様にして部分的に奥行き情報を生成して３Ｄ形式で表示することが考えられる。
【００９６】
図２１には録画された番組の一覧を３Ｄ表示する一例を示す。（ａ）に示した図において２１０１は記録媒体を選択するタブを示す。２１０２には記録媒体に記録された番組をユーザが整理するためのフォルダ群を表示する例を示している。２１０３には記録された各番組のうち２１０２で選択したフォルダ内に管理された番組を一覧表示する例を示す。各番組のサムネイル画像を表示しても良い。この時、各番組の番組情報も記録媒体に記録されていれば各番組が３Ｄ放送であったかどうかを判別可能である。３Ｄ放送番組を飛び出させて表示することで、ユーザは３Ｄ放送番組を簡単に認識することが可能となり、使い勝手を向上できる。図２１（ａ）に示した例においては、サムネイル部分の映像データを２Ｄで表示しているが、さらにこの部分を３Ｄで表示するようにしても良い。
【００９７】
図２１（ｂ）に示す例では各番組をリスト形式の一覧として表示する例を示している。本例においても（ａ）で示した例と同様に各記録された番組が３Ｄ放送番組かどうかを判断して、３Ｄ放送番組の情報を示す箇所を前面に飛び出して表示を行うことでユーザは３Ｄ放送番組を簡単に認識することが可能である。
【００９８】
（ａ）と（ｂ）の表示方法を切り替える機能を例えばカラーボタンに設けても良い。図２１においてはユーザが青ボタンを押下することで切替可能とする例を示している。また３Ｄ形式での表示と２Ｄ形式での表示を切り替える機能をカラーボタンに設けても良い。図２１においてはユーザが赤ボタンを押下することで切替可能な例を示している。
【００９９】
本実施例の変形例として受信部の無い再生装置であっても良いし、記録媒体は受信装置に内蔵されていない可搬型の記録媒体でも良いし、また複数の記録媒体が接続されていても良い。例えばＢｌｕ−ｒａｙ Ｄｉｓｋのような取り外しが可能な記録媒体であってもＤｉｓｋ内に記録された番組について映像・音声および記録されたコンテンツが３Ｄ放送番組であるかどうかを示す情報を含む番組情報データなどから成るデジタルデータであれば同様の処理が可能であり同様の効果が見込める。複数の記録媒体を有する場合、例えば２１０１で示したタブによって対象の記録媒体を選択可能なように表示し、ユーザが任意の記録データを指定することが可能である。
【０１００】
また、２１０２に示すフォルダ構成にて例えば「３Ｄ」という分類を設けて、制御部３１１は受信した番組情報から３Ｄ放送と判断された記録番組を自動的に割り振っても良い。すなわちユーザが「３Ｄ」フォルダを選択した場合、２１０３の表示領域には３Ｄ放送番組の情報のみから成る一覧が生成、表示される。
【０１０１】
なお、本実施例１０に限らず、これまでに示したグラフィック表示の実施例についても記録媒体からの再生時であっても同様の処理が可能である。例えば機能メニューの表示について、上記記録番組一覧から３Ｄ映像をユーザが選択し再生した場合には機能メニューを３Ｄで飛び出して表示することが可能である。
【０１０２】
以上の実施例によりユーザは記録媒体からの再生時に使い勝手の良い受信装置（再生装置）を使用可能である。
【０１０３】
次に、放送番組ならびに記録媒体に記録されたコンテンツが３Ｄ表示用の映像と２Ｄ表示用の映像・音声データを個別に含んでいる場合について説明する。例えばＢｌｕ−ｒａｙ  Ｄｉｓｋのように大容量のデジタル情報が記録可能であれば、同じ内容で表示方法が３Ｄ・２Ｄと異なる両方のデータを１つの記録媒体に記録することが可能である。受信装置（再生装置）が３Ｄ表示に対応している場合は３Ｄ映像を再生することが可能である。ユーザに対してＩＦを介して２Ｄ・３Ｄのいずれを再生するかを選択させても良い。この場合、制御部３１１はいずれの映像が再生されているかを判別することで、３Ｄ映像を表示している最中は前述の各実施例を適用してグラフィックを３Ｄで表示し、２Ｄ映像を表示している最中はグラフィックを２Ｄで表示するよう制御することが可能である。判別の方法としては例えば表示制御部３０６の動作状態を監視することで判別することが考えられる。あるいは例えば先に記したユーザが２Ｄ・３Ｄのどちらの映像の再生を選択したかという情報を参照しても良い。
【０１０４】
以上によりユーザは視聴している映像の状態に合わせたグラフィックを見ることが出来、違和感の無い表示を得られる。
【０１０５】
なお、上述した実施例は適宜組み合わせることができる。例えば、実施例１に示したＥＰＧの表示と実施例２に示したＥＰＧ以外のグラフィック表示とを組み合わせることが可能である。
【符号の説明】
【０１０６】
１…送信装置  ２、３…中継装置  ４、１５、１６…受信装置  ５…表示パネル  ６…配信サーバ    ７…記録再生機器  ８…３Ｄ視聴専用メガネ  ３０１、３０９…入力端子  ３０２…受信部  ３０３…分離部  ３０４…番組情報処理部  ３０５…デコード処理部  ３０６…表示制御部  ３０７、１６０３…出力端子  ３０８…リモコンインタフェース  ３１０…操作部  ３１１…制御部  ３１２…不揮発性メモリ  ３１３…システムバス  １６０１…出力データ生成部  １６０２…出力部
【図１】
0005433862.tif 000002
【図２】
0005433862.tif 000003
【図３】
0005433862.tif 000004
【図４】
0005433862.tif 000005
【図５】
0005433862.tif 000006
【図６（ａ）】
0005433862.tif 000007
【図６（ｂ）】
0005433862.tif 000008
【図７】
0005433862.tif 000009
【図８】
0005433862.tif 000010
【図９】
0005433862.tif 000011
【図１０】
0005433862.tif 000012
【図１１（ａ）】
0005433862.tif 000013
【図１１（ｂ）】
0005433862.tif 000014
【図１１（ｃ）】
0005433862.tif 000015
【図１１（ｄ）】
0005433862.tif 000016
【図１１（ｅ）】
0005433862.tif 000017
【図１１（ｆ）】
0005433862.tif 000018
【図１２】
0005433862.tif 000019
【図１３（ａ）】
0005433862.tif 000020
【図１３（ｂ）】
0005433862.tif 000021
【図１４（ａ）】
0005433862.tif 000022
【図１４（ｂ）】
0005433862.tif 000023
【図１５】
0005433862.tif 000024
【図１６】
0005433862.tif 000025
【図１７】
0005433862.tif 000026
【図１８】
0005433862.tif 000027
【図１９】
0005433862.tif 000028
【図２０】
0005433862.tif 000029
【図２１（ａ）】
0005433862.tif 000030
【図２１（ｂ）】
0005433862.tif 000031